Podtech/llm-jp-corpus-v4-ja_patent huggingface dataset:
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
ＣＤ２０特異的結合タンパク質を含む、異常なＢ細胞活性に関連する疾患を有するかまたは有する疑いのある個体を処置するための組成物であって、
該組成物は、治療上有効な単一投与量のＣＤ２０特異的結合分子を含むように調製された、組成物。
【請求項２】
請求項１に記載の組成物であって、前記異常なＢ細胞活性に関連する疾患が、関節リウマチ、強直性脊椎炎、皮膚筋炎、ヘノッホ・シェーンライン紫斑病、若年性関節リウマチ、乾癬性関節炎、レイノー症候群、ライター症候群、サルコイドーシス、脊椎関節症、進行性全身性硬化症、および筋炎からなる群から選択されるリウマチ病である、組成物。
【請求項３】
請求項２に記載の組成物であって、該組成物は、関節リウマチ処置用であり、該組成物の投与は、ＡＣＲスコア２０をもたらす、組成物。
【請求項４】
請求項２に記載の組成物であって、該組成物は、関節リウマチ処置用であり、
前記個体の生物学的試料におけるＢ細胞数が低減されるか、または前記個体の生物学的試料におけるＲＡＮＫリガンドの発現が低減されることを特徴とし、
該生物学的試料は、血液、滑液、または滑液生検である、
組成物。
【請求項５】
請求項１に記載の組成物であって、前記異常なＢ細胞活性に関連する疾患が、潰瘍性大腸炎およびクローン病からなる群から選択される炎症性腸疾患である、組成物。
【請求項６】
請求項５に記載の組成物であって、該組成物はクローン病処置用であり、該組成物の投与は、約５０単位〜約７０単位の範囲におけるクローン病活動指数（ＣＤＡＩ）スコアの改善をもたらすか、または核周囲の抗好中球抗体（ｐＡＮＣＡ）もしくは抗Ｓａｃｃｈａｒｏｍｙｃｅｓ  ｃｅｒｅｖｉｓｉａｅ抗体（ＡＳＣＡ）における低減をもたらす、組成物。
【請求項７】
請求項１に記載の組成物であって、前記異常なＢ細胞活性に関連する疾患が、多発性硬化症、アレルギー性脳脊髄炎、視神経脊髄炎、ループス脊髄炎、およびループス脳炎からなる群から選択される中枢神経系自己免疫疾患である、組成物。
【請求項８】
請求項７に記載の組成物であって、前記疾患が多発性硬化症であり、前記ＣＤ２０特異的結合分子の投与が、総合障害度評価尺度（ＥＤＳＳ）における少なくとも０．５のスコア低減をもたらす、組成物。
【請求項９】
請求項１に記載の組成物であって、前記異常なＢ細胞活性に関連する疾患が、ベーチェット病、中枢神経系血管炎、チャーグ・シュトラウス症候群、寒冷グロブリン血症、巨細胞動脈炎、ヘノッホ・シェーンライン紫斑病、過敏性血管炎／過敏性脈管炎、川崎病、白血球破砕性血管炎、ポリアンティティス（ｐｏｌｙａｎｔｉｔｉｓ）、結節性多発動脈炎、多発性筋痛、多発性軟骨炎、リウマチ様血管炎、高安動脈炎、ウェゲナー肉芽腫症、肝炎に起因する血管炎、家族性地中海熱、顕微鏡的多発性血管炎、コーガン症候群、ウィスコット・アルドリッチ症候群、および閉塞性血栓血管炎からなる群から選択される脈管炎である、組成物。
【請求項１０】
請求項１に記載の組成物であって、前記異常なＢ細胞活性に関連する疾患が、多発性筋炎および皮膚筋炎からなる群から選択される特発性炎症性筋障害である、組成物。
【請求項１１】
請求項１０に記載の組成物であって、該組成物の投与は、
（ａ）特発性炎症性筋障害診断基準（ＩＩＭＣ）アセスメントで述べられた５つの診断基準のうち少なくとも１つにおける低減をもたらすか、
（ｂ）クレアチンキナーゼ（ＣＫ）、乳酸デヒドロゲナーゼ、アルドラーゼ、Ｃ反応性タンパク質、アスパラギン酸アミノトランスフェラーゼ（ＡＳＴ）、アラニンアミノトランスフェラーゼ（ＡＬＴ）、および抗核自己抗体（ＡＮＡ）、筋肉炎特異的抗体（ＭＳＡ）、および抽出可能な核抗原に対する抗体からなる群から選択される特発性炎症性筋障害（ＩＩＭ）関連因子における低減をもたらすか、または
（ｃ）クレアチンキナーゼ（ＣＫ）レベルにおける低減をもたらす、
組成物。
【請求項１２】
請求項１〜１１のうちのいずれか１項に記載の組成物であって、該組成物は、第２のＢ細胞特異的結合分子、サイトカイン、ケモカイン、成長因子、免疫抑制剤、非ステロイド性抗炎症薬（ＮＳＡＩＤ）、鎮痛薬、グルココルチコイド、関節炎を処置するための疾患修飾性抗リウマチ薬（ＤＭＡＲＤ）、および生体応答調節薬からなる群から選択される因子と組合せて投与されることを特徴とする、組成物。
【請求項１３】
請求項１に記載の組成物であって、前記異常なＢ細胞活性に関連する疾患が、Ｂ細胞リンパ腫、Ｂ細胞白血病、Ｂ細胞ミエローマ、ホジキン病、非ホジキンリンパ腫、中枢神経系リンパ腫、急性リンパ性白血病、慢性リンパ性白血病、ヘアリー細胞白血病、慢性筋芽細胞白血病、小リンパ球性リンパ腫、Ｂ細胞前リンパ性白血病、リンパ形質細胞性リンパ腫、脾臓辺縁帯リンパ腫、形質細胞性骨髄腫、骨の孤立性形質細胞腫、骨外性形質細胞腫、粘膜関連リンパ組織（ＭＡＬＴ）の節外性辺縁帯Ｂ細胞リンパ腫、結節性辺縁帯Ｂ細胞リンパ腫、濾胞性リンパ腫、マントル細胞リンパ腫、びまん性大Ｂ細胞型リンパ腫、縦隔（胸腺）大Ｂ細胞型リンパ腫、血管内大Ｂ細胞型リンパ腫、原発性滲出性リンパ腫、バーキットリンパ腫／白血病、悪性度不明なＢ細胞の増殖、リンパ腫様肉芽腫症、および移植後リンパ球増殖症からなる群から選択される、異常なＢ細胞活性を有する癌である、組成物。
【請求項１４】
請求項１３に記載の組成物であって、前記治療上有効な単一投与量のＣＤ２０特異的結合分子が、血液、腫瘍生検、唾液、リンパ節、扁桃腺、骨髄、胸腺、および他のリンパ球に富む組織からなる群から選択される個体から採取された生物学的試料におけるＢ細胞数を低減させることを特徴とする、組成物。
【請求項１５】
請求項１３に記載の組成物であって、該組成物は、第２のＢ細胞特異的結合分子、サイトカイン、ケモカイン、成長因子、免疫抑制剤、化学療法剤、および放射線治療剤からなる群から選択される因子と組合せて投与されることを特徴とする、組成物。
【請求項１６】
請求項１３に記載の組成物であって、前記個体は、
（ａ）該組成物による処置に対して少なくとも部分的な応答を示すか、または
（ｂ）他のいかなるＣＤ２０結合分子も用いないリツキシマブでの処置に比べて改善した、該組成物による処置に対する応答を示す、
組成物。
【請求項１７】
請求項１〜１６のうちのいずれか１項に記載の組成物であって、前記ＣＤ２０特異的結合分子は、約０．０１ｍｇ/ｋｇ〜約５０ｍｇ/ｋｇまたは約０．０１５ｍｇ/ｋｇ〜約３０ｍｇ/ｋｇの投与量範囲を含むように調製された、ＣＤ２０特異的な小モジュール免疫薬剤（ＳＭＩＰ）ＴＲＵ−０１５である、組成物。
【請求項１８】
請求項１７に記載の組成物であって、前記ＣＤ２０特異的結合分子が、約１ｎＭ〜約３０ｎＭの範囲にあるＣＤ２０に対する親和性を有するか、またはインビボでの半減期約７日〜約３０日を有する、組成物。
【請求項１９】
請求項１〜１８のうちのいずれか１項に記載の組成物であって、前記ＣＤ２０特異的結合分子の投与が、前記個体のＢ細胞数における少なくとも２０％の低減をもたらす、組成物。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
第1の化合物および第2の化合物を含む、体重減少を促すための組成物であって、前記第1の化合物が、6-β-ナルトレキソールまたはその医薬として許容し得る塩であり、前記第2の化合物が、ブプロピオンまたはその医薬として許容し得る塩である、組成物。
【請求項２】
第1の化合物および第2の化合物を含む、体重減少を促すための組成物であって、
前記第1の化合物が、6-β-ナルトレキソールまたはその医薬として許容し得る塩および式(II):
【化１】
2009502931.tif 000001
（式中、R1およびR2の少なくとも一方は、PO3H基またはその塩、あるいは2から20個の炭素原子を含み、3-O-エステル誘導体、6-O-エステル誘導体、3-O,6-O-ジエステル誘導体、3-カルバメート誘導体、6-カルバメート誘導体、3,6-ジカルバメート誘導体、3-カーボネート誘導体、6-カーボネート誘導体または3,6-ジカーボネート誘導体を形成するように選択される有機基である）
の化合物またはその医薬として許容し得る塩からなる群から選択され、
前記第2の化合物が、選択的セロトニン再取込み阻害薬、セロトニン2Cアゴニスト、セロトニン1Bアゴニスト、γ-アミノ酪酸(GABA)阻害薬、GABA受容体アンタゴニスト、GABAチャネルアンタゴニスト、抗痙攣薬、ドーパミンアゴニスト、ドーパミン再取込み阻害薬、ノルエピネフリン再取込み阻害薬、ノルエピネフリンリリーサーおよびノルエピネフリンアゴニストからなる群から選択される、組成物。
【請求項３】
前記第2の化合物がブプロピオンまたはその医薬として許容し得る塩である、請求項2に記載の組成物。
【請求項４】
前記第1の化合物が6-β-ナルトレキソールまたはその医薬として許容し得る塩である、請求項2に記載の組成物。
【請求項５】
前記第1の化合物が、式(II):
【化２】
2009502931.tif 000002
（式中、R1およびR2の少なくとも一方は、PO3H基またはその塩、あるいは2から20個の炭素原子を含み、3-O-エステル誘導体、6-O-エステル誘導体、3-O,6-O-ジエステル誘導体、3-カルバメート誘導体、6-カルバメート誘導体、3,6-ジカルバメート誘導体、3-カーボネート誘導体、6-カーボネート誘導体または3,6-ジカーボネート誘導体を形成するように選択される有機基である）
の化合物またはその医薬として許容し得る塩である、請求項2に記載の組成物。
【請求項６】
R1およびR2の一方またはいずれもがHでなく、R1およびR2の少なくとも一方が
【化３】
2009502931.tif 000003
から選択される基である、請求項5に記載の組成物。
【請求項７】
前記第2の化合物が、フルオキセチン、フルボキサミン、セルトラリン、パロキセチン、シタロプラム、エスシタロプラム、シブトラミン、デュロキセチン、ベンラファキシン、スマトリプタン、アルモトリプタン、ナラトリプタン、フロバトリプタン、リザトリプタン、ゾミトリプタン、エリトリプタン、ゾニサミド、トピラメート、ネムブタール、ロラゼパン、クロナゼパン、クロラゼペート、チアガビン、ガバペンチン、ホスフェニトイン、フェニトイン、カルバマゼピン、バルプロエート、フェルバメート、レベチラセタム、オキシカルバゼピン、ラモトリギン、メツキシミド、エトスキシミド、カベルゴリン、アマンタジン、リスリド、ペルゴリド、ロピニロール、プラミペキソール、ブロモクリプチン、フェンテルミン、ブプロピオン、チオニソキセチン、レボキセチン、ジエチルプロピオン、フェンジメトラジン、ベンズフェタミン、ならびにその医薬として許容し得る塩から選択される、請求項2に記載の組成物。
【請求項８】
前記第2の化合物がブプロピオンまたはその医薬として許容し得る塩である、請求項5に記載の組成物。
【請求項９】
式(II):
【化４】
2009502931.tif 000004
（式中、R1およびR2の一方またはいずれもがHでなく、R1およびR2の少なくとも一方が
【化５】
2009502931.tif 000005
から選択される基である）
の化合物またはその医薬として許容し得る塩。
【請求項１０】
請求項9に記載の化合物の有効量および医薬として許容し得る担体を含む、体重減少を促すための組成物。
【請求項１１】
選択的セロトニン再取込み阻害薬(SSRI)、セロトニン2Cアゴニスト、セロトニン1Bアゴニスト、γ-アミノ酪酸(GABA)阻害薬、GABA受容体アンタゴニスト、GABAチャネルアンタゴニスト、抗痙攣薬、ドーパミンアゴニスト、ドーパミン再取込み阻害薬、ノルエピネフリン再取込み阻害薬、ノルエピネフリンリリーサー、ノルエピネフリンアゴニストおよびその医薬的に許容可能な塩からなる群から選択される第2の化合物の有効量をさらに含む、請求項10に記載の組成物。
【請求項１２】
前記第2の化合物がブプロピオンまたはその医薬として許容し得る塩である、請求項11に記載の組成物。
【請求項１３】
前記第2の化合物が、選択的セロトニン再取込み阻害薬(SSRI)、セロトニン2Cアゴニスト、セロトニン1Bアゴニストおよびその医薬的に許容可能な塩からなる群から選択される、請求項2に記載の組成物。
【請求項１４】
前記第2の化合物が、フルオキセチン、フルボキサミン、セルトラリン、パロキセチン、シタロプラム、エスシタロプラム、シブトラミン、デュロキセチン、ベンラファキシンおよびその医薬として許容し得る塩からなる群から選択される、請求項2に記載の組成物。
【請求項１５】
前記第2の化合物が、ドーパミンアゴニスト、ドーパミン再取込み阻害薬、ノルエピネフリン再取込み阻害薬、ノルエピネフリンリリーサー、ノルエピネフリンアゴニストおよびその医薬的に許容可能な塩からなる群から選択される、請求項2に記載の組成物。
【請求項１６】
前記第2の化合物が、カベルゴリン、アマンタジン、リスリド、ペルゴリド、ロピニロール、プラミペキソール、ブロモクリプチン、フェンテルミン、ブプロピオン、チオニソキセチン、レボキセチン、ジエチルプロピオン、フェンジメトラジン、ベンズフェタミンおよびその医薬的に許容し得る塩からなる群から選択される、請求項2に記載の組成物。
【請求項１７】
前記第1の化合物および第2の化合物が、単一の単位剤形である、請求項1から8および11から16のいずれか一項に記載の組成物。
【請求項１８】
前記第1の化合物および第2の化合物が、別個に投与される、請求項1から8および11から16のいずれか一項に記載の組成物。
【請求項１９】
前記第1の化合物および第2の化合物が、実質的に同時に投与される、請求項18に記載の組成物。
【請求項２０】
前記第1の化合物が、第2の化合物の前に投与される、請求項18に記載の組成物。
【請求項２１】
前記第1の化合物が、第2の化合物の後に投与される、請求項18に記載の組成物。
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
１−（４−（２ピペリジニルエトキシ）フェノキシ）−２−（３−ヒドロキシフェニル）−６−ヒドロキシナフタレンメタンスルホン酸塩。
【請求項２】
結晶性かつ非溶媒和である、請求項１記載の塩。
【請求項３】
銅放射源（ＣｕＫα、λ＝０．１５４０５６ｎｍ）から得られるＸ線回折パターンが、１３．０±０．１、１３．６±０．１、１８．６±０．１、１９．０±０．１、２１．０±０．１及び２２．３±０．１０［°］の２θ回折角のピークを含んでなる、請求項２記載の塩。
【請求項４】
銅放射源（ＣｕＫα、λ＝０．１５４０５６ｎｍ）から得られるＸ線回折パターンが、６．４±０．１、７．９±０．１及び９．３±０．１０［°］の２θ回折角のピークを含んでなる、請求項２又は３記載の塩。
【請求項５】
子宮内膜症及び／又は子宮筋腫の治療において用いる、請求項１から４のいずれか１つの塩。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
細菌性感染または疾患を処置するための組成物であって、該組成物は、有効な量のセフェピムまたはその薬学的に受容可能な塩、および式Iの化合物
【化１】
2009502934.tif 000001
またはその薬学的に受容可能な塩もしくはインビボ加水分解性のエステル
を含み、
ここで：
ＡおよびＢのうちの一方が水素を意味し、そしてＡおよびＢのうちのもう一方が必要に応じて置換される縮合二環式ヘテロアリール基を意味し；
ＸがＳまたはＯであり；
Ｒ５が水素、Ｃ１−Ｃ６アルキル、Ｃ５−Ｃ６シクロアルキル、またはＣＨＲ３ＯＣＯＣ１−Ｃ６アルキルであり；かつ
Ｒ３が水素、Ｃ１−Ｃ６アルキル、Ｃ５−Ｃ６シクロアルキル、必要に応じて置換されるアリール、または必要に応じて置換されるヘテロアリールである、組成物。
【請求項２】
請求項１に記載の組成物であって、前記二環式ヘテロアリール基が、式２−Ａまたは２−Ｂ：
【化２】
2009502934.tif 000002
を有する、組成物。
【請求項３】
請求項１に記載の組成物であって、式Ｉの化合物が、（５Ｒ），（６Ｚ）−６−（６，７−ジヒドロ−５Ｈ−ピロロ［１，２−ａ］イミダゾール−２−イルメチレン）−７−オキソ−４−チア−１−アザ−ビシクロ［３．２．０］ヘプタ−２−エン−２−カルボン酸、ナトリウム塩；または（５Ｒ），（６Ｚ）−６−（５，６−ジヒドロ−８Ｈ−イミダゾ［２，１−ｃ］［１，４］オキサジン−２−イルメチレン）−７−オキソ−４−チア−１−アザビシクロ［３．２．０］ヘプタ−２−エン−２−カルボン酸、ナトリウム塩である、組成物。
【請求項４】
請求項１〜３のいずれか１項に記載の組成物であって、該組成物は、セフェピムまたはその薬学的に受容可能な塩、および式Ｉの化合物またはその薬学的に受容可能な塩もしくはインビボ加水分解性のエステルと同時投与されることを特徴とする、組成物。
【請求項５】
請求項１〜４のいずれか１項に記載の組成物であって、前記式Ｉの化合物またはその薬学的に受容可能な塩もしくはインビボ加水分解性のエステルに対する前記セフェピムまたはその薬学的に受容可能な塩の比が約１：１ｗ／ｗ〜約１００：１ｗ／ｗである、組成物。
【請求項６】
請求項１〜５のいずれか１項に記載の組成物であって、前記式Ｉの化合物またはその薬学的に受容可能な塩もしくはインビボ加水分解性のエステルに対する前記セフェピムまたはその薬学的に受容可能な塩の比が約１０：１ｗ／ｗである、組成物。
【請求項７】
患者に対して経口投与されることを特徴とする、請求項１〜６のいずれか１項に記載の組成物。
【請求項８】
患者に対して静脈内投与されることを特徴とする、請求項１〜６のいずれか１項に記載の組成物。
【請求項９】
薬学的に受容可能なキャリア、セフェピムまたはその薬学的に受容可能な塩、および式Ｉの化合物
【化３】
2009502934.tif 000003
またはその薬学的に受容可能な塩もしくはインビボ加水分解性のエステルを含む組成物であって、
ここで：
ＡおよびＢのうちの一方が水素を意味し、そしてＡおよびＢのうちのもう一方が必要に応じて置換される縮合二環式ヘテロアリール基を意味し；かつ
Ｘ、Ｒ５およびＲ３が請求項１に記載されたとおりである、組成物。
【請求項１０】
前記二環式ヘテロアリール基が、請求項２に上記されるとおり、式２−Ａまたは２−Ｂを有する、請求項９に記載の組成物。
【請求項１１】
請求項９に記載の組成物であって、式Ｉの化合物が、（５Ｒ），（６Ｚ）−６−（６，７−ジヒドロ−５Ｈ−ピロロ［１，２−ａ］イミダゾール−２−イルメチレン）−７−オキソ−４−チア−１−アザ−ビシクロ［３．２．０］ヘプタ−２−エン−２−カルボン酸、ナトリウム塩；または（５Ｒ），（６Ｚ）−６−（５，６−ジヒドロ−８Ｈ−イミダゾ［２，１−ｃ］［１，４］オキサジン−２−イルメチレン）−７−オキソ−４−チア−１−アザビシクロ［３．２．０］ヘプタ−２−エン−２−カルボン酸、ナトリウム塩である、組成物。
【請求項１２】
請求項９〜１１のいずれか１項に記載の組成物であって、前記式Ｉの化合物またはその薬学的に受容可能な塩もしくはインビボ加水分解性のエステルに対する前記セフェピムまたはその薬学的に受容可能な塩の比が約１：１ｗ／ｗ〜約１００：１ｗ／ｗである、組成物。
【請求項１３】
請求項９〜１２のいずれか１項に記載の組成物であって、前記式Ｉの化合物またはその薬学的に受容可能な塩もしくはインビボ加水分解性のエステルに対する前記セフェピムまたはその薬学的に受容可能な塩の比が約１０：１ｗ／ｗである、組成物。
【請求項１４】
薬学的に受容可能なキャリアと、セフェピムまたはその薬学的に受容可能な塩と、式Ｉの化合物
【化４】
2009502934.tif 000004
であって、ＡおよびＢのうちの一方が水素を意味し、そしてＡおよびＢのうちのもう一方が必要に応じて置換される縮合二環式ヘテロアリール基を意味し；かつ
Ｘ、Ｒ５、Ｒ３が請求項１について上記されたとおりである、化合物またはその薬学的に受容可能な塩もしくはインビボ加水分解性のエステルと、
説明書であって、細菌性の感染または疾患を処置するための説明を含む説明書と、を備えるパッケージ。
【請求項１５】
セフェピムまたはその薬学的に受容可能な塩と、式Ｉの化合物
【化５】
2009502934.tif 000005
であって、ＡおよびＢのうちの一方が水素を意味し、そしてＡおよびＢのうちのもう一方が必要に応じて置換される縮合二環式ヘテロアリール基を意味し；かつ
Ｘ、Ｒ５、Ｒ３が請求項１について上記されたとおりである、化合物またはその薬学的に受容可能な塩もしくはインビボ加水分解性のエステルとを；細菌性の感染または疾患を処置するために、別の、同時のまたは連続的な投与のための併用調製物として含む、生成物。
【請求項１６】
セフェピムまたはその薬学的に受容可能な塩、ならびに式Ｉの化合物
【化６】
2009502934.tif 000006
であって、ＡおよびＢのうちの一方が水素を意味し、そしてＡおよびＢのうちのもう一方が必要に応じて置換される縮合二環式ヘテロアリール基を意味し；かつ
Ｘ、Ｒ５、Ｒ３が請求項１について上記されたとおりである、化合物またはその薬学的に受容可能な塩もしくはインビボ加水分解性のエステルの、細菌性の感染または疾患を処置するための医薬の調製における、使用。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
化合物ＩとＡｂｌキナーゼとを接触させることを包含する、該Ａｂｌキナーゼを阻害する方法。
【請求項２】
前記Ａｂｌキナーゼが野生型キナーゼである、請求項１に記載の方法。
【請求項３】
前記Ａｂｌキナーゼが、該Ａｂｌキナーゼの変異型である、請求項１に記載の方法。
【請求項４】
前記Ａｂｌキナーゼの変異型がＴ３１５Ｉ変異体である、請求項３に記載の方法。
【請求項５】
化合物Ｉまたは該化合物Ｉの薬学的に許容できる塩を含む、患者においてＣＭＬを処置するための組成物。
【請求項６】
化合物Ｉまたは該化合物Ｉの薬学的に許容できる塩を含む、患者においてＡＬＬを処置するための組成物。
【請求項７】
Ａｂｌキナーゼの阻害を必要とする患者において該Ａｂｌキナーゼを阻害するための組成物であって、
化合物Ｉ
を含む、組成物。
【請求項８】
前記Ａｂｌキナーゼが変異体Ａｂｌキナーゼである、請求項７に記載の組成物。
【請求項９】
前記変異体ＡｂｌキナーゼがＴ３１５Ｉ変異体である、請求項８に記載の組成物。
【請求項１０】
化合物Ｉを含む治療組成物であって、該組成物は、Ｔ３１５Ｉ  Ａｂｌ変異が存在する患者に投与されることを特徴とする、組成物。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
イソ酪酸酢酸スクロース（ＳＡＩＢ）を含み、過酸化物が大幅に除去されている、ｉｎ ｖｉｖｏに送達されるための薬物用の薬物送達ビヒクル。
【請求項２】
過酸化物が、薬物送達ビヒクル中、２０ｐｐｍ以下のレベルで存在する、請求項１に記載のビヒクル。
【請求項３】
過酸化物が、薬物送達ビヒクル中、１０ｐｐｍ以下のレベルで存在する、請求項１に記載のビヒクル。
【請求項４】
過酸化物が、薬物送達ビヒクル中、５ｐｐｍ以下のレベルで存在する、請求項１に記載のビヒクル。
【請求項５】
薬物を運ぶ、請求項１〜４のいずれか１項に定義される薬物送達ビヒクル。
【請求項６】
薬物が、ペプチド、ポリペプチド、タンパク質、核酸、ウイルス、抗体、酸化を受けやすい小分子から選択される、請求項５に記載のビヒクル。
【請求項７】
薬物が、ステロイド、ＮＳＡＩＤ、増殖因子、ホルモン、抗腫瘍薬、抗生物質、鎮痛薬、局所麻酔薬、抗ウイルス薬、抗精神病薬、抗凝固薬および遺伝子治療用のオリゴヌクレオチドから選択される、請求項５に記載のビヒクル。
【請求項８】
薬物デポーとして用いることができるようにつくられている、請求項５〜７のいずれか１項に記載のビヒクル。
【請求項９】
請求項５〜７のいずれか１項に定義される薬物を運ぶ薬物送達ビヒクルが入っている、移植用デバイス。
【請求項１０】
ｉｎ ｖｉｖｏに送達されるための薬物用の薬物送達ビヒクルとして使用するためのイソ酪酸酢酸スクロース製剤を処理する方法であって、該製剤に過酸化物を大幅に除去するのに有効な量の亜硫酸水素塩を添加するステップを含み、ここで、該亜硫酸水素塩は、メタ亜硫酸水素ナトリウム、メタ亜硫酸水素カリウム、亜硫酸水素ナトリウムもしくは亜硫酸水素カリウム、またはそれらの混合物を含む、上記方法。
【請求項１１】
前記製剤が、ヘキサン、酢酸エチル、エタノール、安息香酸ベンジル、Ｎ−メチルピロリドン、イソプロピルアルコール、またはそれらの組み合わせを含む共溶媒をさらに含む、請求項１０に記載の方法。
【請求項１２】
前記共溶媒を除去するために製剤を真空処理するステップをさらに含む、請求項１１に記載の方法。
【請求項１３】
亜硫酸水素塩を除去するために製剤を水で洗浄するステップ、および必要であれば、硫酸マグネシウム、無水塩化カルシウム、無水硫酸カルシウム、活性化シリカゲル、五酸化リン、真空、またはそれらの組み合わせを用いて製剤を乾燥させるステップをさらに含む、請求項１０に記載の方法。
【請求項１４】
亜硫酸水素塩を添加するステップ、製剤を洗浄するステップ、および製剤を乾燥させるステップを少なくとも１回繰り返す、請求項１３に記載の方法。
【請求項１５】
請求項１０〜１４のいずれか１項に定義される方法によって得られる、ｉｎ ｖｉｖｏに送達されるための薬物用の薬物送達ビヒクルとして使用するためのイソ酪酸酢酸スクロース製剤。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009502912.tif 000001
（式中、
Ｒ1は、水素、Ｃ1-6アルキル、Ｃ2-6アルケニル、ハロゲン化Ｃ1-6アルキル、Ｃ1-6アルコキシ、−ＯＨ及びアミノから選択され；
ｎ、ｍ及びｐは、独立に、０、１及び２から選択される）
の化合物を（ジアルキルアミノ）硫黄トリフルオリドと反応させ、第１の化合物を生成する第１の工程を含む化合物の製造方法。
【請求項２】
方法が、第１の化合物を還元剤と反応させて、式II：
【化２】
2009502912.tif 000002
（式中、
Ｒ1は、水素、Ｃ1-6アルキル、Ｃ2-6アルケニル、ハロゲン化Ｃ1-6アルキル、Ｃ1-6ア
ルコキシ、−ＯＨ及びアミノから選択され；
ｎ、ｍ及びｐは、独立に、０、１及び２から選択される）
の化合物を生成する第２の工程を更に含む、請求項１に記載の方法。
【請求項３】
方法が、式III：
【化３】
2009502912.tif 000003
（式中、
Ｒ1は、水素、Ｃ1-6アルキル、Ｃ2-6アルケニル、ハロゲン化Ｃ1-6アルキル、Ｃ1-6アルコキシ、−ＯＨ及びアミノから選択され；
ｎ、ｍ及びｐは、独立に、０、１及び２から選択される）
の化合物を水及び加水分解触媒と反応させる第３の工程を更に含む、請求項１に記載の方法。
【請求項４】
方法が、式IV：
【化４】
2009502912.tif 000004
（式中、
Ｒ1は、水素、Ｃ1-6アルキル、Ｃ2-6アルケニル、ハロゲン化Ｃ1-6アルキル、Ｃ1-6アルコキシ、−ＯＨ及びアミノから選択され；
ｎ、ｍ及びｐは、独立に、０、１及び２から選択される）
の化合物を、トシルメチルイソシアニドと−２５℃と１５０℃の間の温度で反応させる第４の工程を更に含む、請求項３に記載の方法。
【請求項５】
式Ｖ：
【化５】
2009502912.tif 000005
（式中、
Ｒ1は水素、Ｃ1-6アルキル、Ｃ2-6アルケニル、ハロゲン化Ｃ1-6アルキル、Ｃ1-6アル
コキシ、−ＯＨ及びアミノから選択され；そして
ｎ、ｍ及びｐは、独立に、０、１及び２から選択される）
の化合物を還元剤と反応させることを含む、化合物の製造方法。
【請求項６】
式II：
【化６】
2009502912.tif 000006
の化合物を製造する方法であって、下記の工程：
ａ）式IV：
【化７】
2009502912.tif 000007
の化合物を、トシルメチルイソシアニドと−２５℃から１５０℃の間の温度で反応させて、式IIIの化合物を生成すること；
ｂ）式III：
【化８】
2009502912.tif 000008
の化合物を水及び加水分解触媒と反応させて、式Ｉの化合物を生成すること；
ｃ）式Ｉ：
【化９】
2009502912.tif 000009
の化合物を（ジアルキルアミノ）硫黄トリフルオリドと反応させて、式Ｖの化合物を生成すること；
ｄ）式Ｖ：
【化１０】
2009502912.tif 000010
の化合物を還元剤と反応させて、式IIの化合物を生成すること；
を含み、ここで、
Ｒ1は、水素、Ｃ1-6アルキル、Ｃ2-6アルケニル、ハロゲン化Ｃ1-6アルキル、Ｃ1-6ア
ルコキシ、−ＯＨ及びアミノから選択され；
ｎ、ｍ及びｐは、独立に、０、１及び２から選択される
上記方法。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
食品に接触している微生物を減少させる方法であって、以下：
(a) 食品に抗菌組成物を適用し；
(b) 包装材料に食品を包装して、包装された食品をつくり；
(c) 更なる微生物が包装に侵入してこないように、包装された食品を密封し；及び
(d) 活性化された抗菌組成物が包装内に留まる任意の微生物を減少させるように、密封された食品にほとんど致死量に近い量の熱を２〜２０秒間加えて、抗菌組成物を活性化すること、
を含む、前記方法。
【請求項２】
前記食品が、すぐに食べられる肉製品又は鶏肉製品である、請求項１記載の方法。
【請求項３】
前記包装材料が、収縮包装フィルムである、請求項１記載の方法。
【請求項４】
前記熱が、加熱された水の形態ある、請求項１記載の方法。
【請求項５】
前記の加熱された水の温度が、１６０°Ｆ〜２１０°Ｆである、請求項４記載の方法。
【請求項６】
前記熱が収縮トンネル中で適用される、請求項１記載の方法。
【請求項７】
前記抗菌組成物が、脂肪酸、酸性化塩素酸ナトリウム、過酸及びそれらの混合物からなる群より選ばれる活性な抗菌剤を含む、請求項１記載の方法。
【請求項８】
前記活性な抗菌剤が、オクタン酸である、請求項７記載の方法。
【手続補正書】
【提出日】平成21年8月18日(2009.8.18)
【手続補正１】
【補正対象書類名】特許請求の範囲
【補正対象項目名】請求項８５
【補正方法】変更
【補正の内容】
【請求項８５】
下記式(Ia)の化合物：
【化６８】
2009502920.tif 000001
［上記式中、
R1は、HまたはOC(=O)-R1aであり、R1aはヘテロ芳香族系内にNを含む、任意選択で置換されていてもよいヘテロアリールであり；
R2はNHR5であり；
R3は、H、CH2R6、およびCO2R7からなる群から選択され；
R4は、水素であり；
R5は、フェニル、CH2C(CF3)2OH、C3アルキル、SO2R8からなる群から選択され；
R6は、任意選択で置換されていてもよいフェニル、シクロプロピル、シクロブチル、または任意選択で置換されていてもよいフラニルからなる群から選択され；
R7は、シクロペンチルまたはC1-C6アルキルであり；
R8は、NR11R12、tert-ブチル、クロロピリジニル、
【化６９】
2009502920.tif 000002
からなる群から選択され；
R10は、C1〜C3アルキル、3-プロペニル、メチルメトキシル、およびベンジルからなる群から選択され；
R11は、Hまたはメチルであり；
R12は、C1〜C3アルキル、3-プロペニル、フェニル、
【化７０】
2009502920.tif 000003
、クロロフェニル、ジクロロフェニル、ベンジル、ピリジニル、CH2R13、およびCHR16R17からなる群から選択され；
R13は、ピリジニルであり；
R15は、Hまたはメチルであり；
R16はピリジニルであり；
R17は、Hまたはメチルである。］
（但し、一般式(Ia)の化合物が以下の：
【化７１】
2009502920.tif 000004
からなる群から選択されたものではないことを条件とする。）
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
以下の一般式（Ｉ）によって示され、
2009502985.tif 000001
式中、ＲはＣ１−１１アルキル基であり、Ｒ１、Ｒ２、Ｒ３、Ｒ４、Ｒ５は、独立して、ＯＨまたはＨであり、少なくとも１つはＯＨであるが、サリチル酸塩は排除される、ヒドロキシ安息香酸エステルおよびその類似体からなるウイルス感染の予防および治療用の医薬品中間体。
【請求項２】
前記ウイルス感染が、ヒトおよび動物におけるＨＢＶ、ＨＰＶまたはＨＳＶ感染であることを特徴とする請求項１記載のウイルス感染の予防および治療用の医薬品中間体。
【請求項３】
前記ウイルス感染が、Ｂ型肝炎、尖圭コンジローマ、単純ヘルペス、膣炎、子宮頸管炎および子宮頸部びらんであることを特徴とする請求項１又は２記載のウイルス感染の予防および治療用の医薬品中間体。
【請求項４】
前記ウイルス感染の予防および治療のための薬剤が子宮脛癌の治療に使用されるものであることを特徴とする請求項１又は２記載のウイルス感染の予防および治療用の医薬品中間体。
【請求項５】
前記ＲはＣ１−8アルキル基であることを特徴とする請求項１乃至４のいずれかに記載のウイルス感染の予防および治療用の医薬品中間体。
【請求項６】
前記ＲはＣ１−３アルキル基であることを特徴とする請求項１乃至５のいずれかに記載のウイルス感染の予防および治療用の医薬品中間体。
【請求項７】
前記、Ｒ１、Ｒ２、Ｒ３、Ｒ４、Ｒ５の少なくとも二つがＯＨであること特徴とする請求項１乃至６のいずれかに記載のウイルス感染の予防および治療用の医薬品中間体。
【請求項８】
前記、Ｒ１、Ｒ２、Ｒ３、Ｒ４、Ｒ５の少なくとも三つがＯＨであること特徴とする請求項１乃至７いずれかに記載のウイルス感染の予防および治療用の医薬品中間体。
【請求項９】
前記ヒドロキシ安息香酸エステルおよびその類似体が、４−ヒドロキシ安息香酸エステル、２，４−ジヒドロキシ安息香酸エステル、３，４−ジヒドロキシ安息香酸エステル、２，３，４−トリヒドロキシ安息香酸エステル、３，４，５−トリヒドロキシ安息香酸エステルまたは３，４，６−トリヒドロキシ安息香酸エステルからなるグループから選択されるものであることを特徴とする請求項１乃至６のいずれかに記載のウイルス感染の予防および治療用の医薬品中間体。
【請求項１０】
前記ヒドロキシ安息香酸エステルおよびその類似体が、２，３，４−トリヒドロキシ安息香酸エステル、３，４，５−トリヒドロキシ安息香酸エステルまたは３，４，６−トリヒドロキシ安息香酸エステルからなるグループから選択されるものであることを特徴とする請求項１乃至９のいずれかに記載のウイルス感染の予防および治療用の医薬品中間体。
【請求項１１】
前記ヒドロキシ安息香酸エステルおよびその類似体が、３，４，５−トリヒドロキシ安息香酸エステルであることを特徴とする請求項１乃至１０のいずれかに記載のウイルス感染の予防および治療用の医薬品中間体。
【請求項１２】
前記化合物および／またはかかる化合物を有効成分として含む組成物は、注射または経口製剤のための種々のアジュバントとともに、粉末、溶液、錠剤、カプセル剤、顆粒剤、液体に調整され、あるいは、皮膚粘膜製剤のための種々のアジュバントとともに、軟膏、ゲル、洗液、錠剤、坐剤、ペッサリー、スプレーまたは他の薬学的に許容され得る調製物に調製されているものであることを特徴とする請求項１乃至１１のいずれかに記載のウイルス感染の予防および治療用の医薬品中間体からなる調製物。
【請求項１３】
前記化合物および／またはかかる化合物を有効成分として含む組成物が、パーソナルケア製品として使用されるものであり、かかるパーソナルケア製品がハンドソープ、手の滅菌用ローション、ボディクレンザー、ボディクレンジングゲル、ボディウォッシングソープ、パーソナルケアティッシュ、ティッシュペーパー、点鼻薬またはこれらの組み合わせであることを特徴とする請求項１乃至１０のいずれかに記載のウイルス感染の予防および治療用の医薬品中間体からなるパーソナルケア製品。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
生理学的に許容可能な連続水相中のペルフルオロカーボン乳化組成物であって：
ペルフルオロデカリン；及び
該生理学的に許容可能な連続水相においてペルフルオロデカリンの安定な乳化物を形成する酸素運搬フッ素化界面活性剤
を含み、該酸素運搬フッ素化界面活性剤は、該酸素運搬フッ素化界面活性剤が薬学成分として機能し、かつペルフルオロデカリンの一部を代替するのに十分な酸素運搬容量を有する、組成物。
【請求項２】
ペルフルオロデカリンが該組成物の重量に基づいて約５〜約８５％の量で存在する、請求項１に記載のペルフルオロカーボン乳化組成物。
【請求項３】
酸素運搬フッ素化界面活性剤が該組成物の重量に基づいて約５０〜約８５％の量で存在する、請求項１に記載のペルフルオロカーボン乳化組成物。
【請求項４】
酸素運搬フッ素化界面活性剤が６〜１２の炭素原子を有する脂肪酸を含む、請求項１に記載のペルフルオロカーボン乳化組成物。
【請求項５】
酸素運搬フッ素化界面活性剤が過フッ素化されている、請求項１に記載のペルフルオロカーボン乳化組成物。
【請求項６】
酸素運搬フッ素化界面活性剤が大豆レシチンを含む、請求項１に記載のペルフルオロカーボン乳化組成物。
【請求項７】
酸素運搬フッ素化界面活性剤がホスファチジルコリンを含む、請求項１に記載のペルフルオロカーボン乳化組成物。
【請求項８】
酸素運搬フッ素化界面活性剤がホスファチジルイノシトールを含む、請求項１に記載のペルフルオロカーボン乳化組成物。
【請求項９】
酸素運搬フッ素化界面活性剤がホスファチジルエタノールアミンを含む、請求項１に記載のペルフルオロカーボン乳化組成物。
【請求項１０】
生理学的に許容可能な人工酸素運搬体としての使用に適合するペルフルオロカーボン乳化組成物であって：
ペルフルオロデカリン；及び
連続水相においてペルフルオロデカリンの安定な乳化物を形成するフッ素化大豆レシチン
を含み、該フッ素化大豆レシチンは、該フッ素化大豆レシチンが薬学成分として機能し、かつペルフルオロデカリンの一部を代替するのに十分な酸素運搬容量を有する、組成物。
【請求項１１】
ペルフルオロデカリンが該組成物の重量に基づいて約５〜約８５％の量で存在する、請求項１０に記載のペルフルオロカーボン乳化組成物。
【請求項１２】
フッ素化大豆レシチンが該組成物の重量に基づいて約５０〜約８５％の量で存在する、請求項１０に記載のペルフルオロカーボン乳化組成物。
【請求項１３】
フッ素化大豆レシチンがホスファチジルコリンを含む、請求項１０に記載のペルフルオロカーボン乳化組成物。
【請求項１４】
ホスファチジルコリンが過フッ素化されている、請求項１３に記載のペルフルオロカーボン乳化組成物。
【請求項１５】
フッ素化大豆レシチンが脂肪酸を含む、請求項１０に記載のペルフルオロカーボン乳化組成物。
【請求項１６】
脂肪酸が約１２〜約２２の炭素原子の長さを有する炭素鎖を含む、請求項１５に記載のペルフルオロカーボン乳化組成物。
【請求項１７】
生理学的に許容可能な人工酸素運搬体としての使用に適合するペルフルオロカーボン乳化組成物を製造する方法であって：
大豆レシチンを準備すること；
大豆レシチン上に脂肪酸ラジカルを置換すること；
脂肪酸ラジカルをフッ素化して酸素運搬フッ素化界面活性剤を製造すること；及び
酸素運搬フッ素化界面活性剤及びペルフルオロデカリンを連続水相中で乳化して、生理学的に許容可能な人工酸素運搬体を製造すること
を含み、該酸素運搬フッ素化界面活性剤は、該酸素運搬フッ素化界面活性剤が薬学成分として機能し、かつペルフルオロデカリンの一部を代替するのに十分な酸素運搬容量を有し、そして、酸素運搬フッ素化界面活性剤は、該組成物の重量に基づいて約５〜約８５％の量で存在する、方法。
【請求項１８】
大豆レシチンが、ホスファチジルコリン、ホスファチジルイノシトール、及びホスファチジルエタノールアミンのうちの１種を含む、請求項１７に記載の方法。
【請求項１９】
大豆レシチン上に脂肪酸ラジカルを置換することが、約１２〜約２２の炭素原子の炭素鎖を有する脂肪酸ラジカルを選択することを含む、請求項１７に記載の方法。
【請求項２０】
脂肪酸ラジカルをフッ素化することが、脂肪酸ラジカルを過フッ素化することを含む、請求項１７に記載の方法。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
人工器官周辺の骨量減少または破骨細胞活性の増加および骨芽細胞活性の増加に関連する疾患を罹患した被験体を治療するための組成物であって、Ｍ−ＣＳＦへの結合についてモノクローナル抗体ＲＸ１と７５％超で競合する非マウス抗体を含み、前記モノクローナル抗体ＲＸ１が、配列番号２および４にそれぞれ示す重鎖および軽鎖のアミノ酸配列を含む、組成物。
【請求項２】
前記非マウス抗体が、モノクローナル抗体ＲＸ１と同一のＭ−ＣＳＦのエピトープに特異的に結合し、前記エピトープが、配列番号１２０または１２１の少なくとも４個の連続する残基を含む、請求項１に記載の組成物。
【請求項３】
前記非マウス抗体がモノクローナル抗体である、請求項１に記載の組成物。
【請求項４】
前記非マウス抗体が、キメラ抗体、ヒト化抗体、ヒト操作（ｈｕｍａｎ  ｅｎｇｉｎｅｅｒｅｄ）抗体、ヒト抗体、または単鎖抗体である、請求項１に記載の組成物。
【請求項５】
前記非マウス抗体は、配列番号９のＭ−ＣＳＦに関する親和性Ｋｄを少なくとも１０−８Ｍまたはそれを超えて保持する、請求項１に記載の組成物。
【請求項６】
前記非マウス抗体は、配列番号２４と９０％同一であるアミノ酸配列を含む、請求項１に記載の組成物。
【請求項７】
前記非マウス抗体が、配列番号２４を含む、請求項１に記載の組成物。
【請求項８】
前記非マウス抗体が、
（ａ）配列番号１８、２１、２４、２９、３２、および３６からなる群、または
（ｂ）配列番号２１、２４、３２、３６、およびＱＡＳＱＳＩＧＴＳＩＨ（配列番号１３８）からなる群
から選択される少なくとも３つの配列を含む、請求項１に記載の組成物。
【請求項９】
前記非マウス抗体が、
（ａ）配列番号１８、２１、２４、２９、３２、および３６、または
（ｂ）配列番号１８、２１、２４、３２、３６、およびＱＡＳＱＳＩＧＴＳＩＨ（配列番号１３８）の全てを含む、請求項１に記載の組成物。
【請求項１０】
前記非マウス抗体が、配列番号１６、１９、２２、２７、３０、３４、１７、２０、２３、２８、３１、３５、１８、２１、２５、２９、３２、３７、１８、２１、２６、２９、３３、または３８からなる群から選択される１つ以上のＣＤＲをさらに含む、請求項８に記載の組成物。
【請求項１１】
前記非マウス抗体がＣＤＲを含み、ＣＤＲ内の少なくとも１つのアミノ酸が別の抗ＭＣＳＦ抗体の対応するＣＤＲの対応する残基に置換されている、請求項１０に記載の組成物。
【請求項１２】
前記非マウス抗体が、ヒト抗体配列の定常領域ならびにヒト抗体配列の１つ以上の重鎖および軽鎖の可変フレームワーク領域を含む、請求項８に記載の組成物。
【請求項１３】
前記ヒト抗体配列が、個別のヒト配列、ヒトコンセンサス配列、個別のヒト生殖系列配列、またはヒトコンセンサス生殖系列配列である、請求項１２に記載の組成物。
【請求項１４】
前記非マウス抗体が、ＩｇＧ１定常領域のフラグメントを含む、請求項８に記載の組成物。
【請求項１５】
前記非マウス抗体が、抗体依存性細胞傷害活性または補体依存性細胞傷害活性を減少する変異を前記ＩｇＧ１定常領域中に含む、請求項１４に記載の組成物。
【請求項１６】
前記非マウス抗体が、ＩｇＧ４定常領域のフラグメントを含む、請求項８に記載の組成物。
【請求項１７】
前記非マウス抗体が、半抗体の形成を減少する変異を前記ＩｇＧ４定常領域中に含む、請求項１６に記載の組成物。
【請求項１８】
前記非マウス抗体が、アミノ酸配列
【化３】
2009502952.tif 000001
（Ｘは任意のアミノ酸である）を含む重鎖可変領域を含む、請求項１に記載の組成物。
【請求項１９】
前記非マウス抗体が、アミノ酸配列
【化４】
2009502952.tif 000002
（Ｘは任意のアミノ酸である）を含む軽鎖可変領域を含む、請求項１に記載の組成物。
【請求項２０】
前記非マウス抗体が、配列番号４１または４３に示す重鎖可変領域配列のいずれか１つを含む、請求項１に記載の組成物。
【請求項２１】
前記非マウス抗体が、配列番号４５、４７、４８、５１、５３、または１３６に示す軽鎖配列のいずれか１つを含む、請求項１に記載の組成物。
【請求項２２】
前記非マウス抗体が、配列番号４１または４３に示す重鎖可変アミノ酸配列と少なくとも８０％同一の重鎖可変アミノ酸配列を含む、請求項８に記載の組成物。
【請求項２３】
前記非マウス抗体が、配列番号４５、４７、４８、５１、または５３に示す軽鎖可変アミノ酸配列と少なくとも８０％同一の軽鎖可変アミノ酸配列を含む、請求項８に記載の組成物。
【請求項２４】
第２の治療薬をさらに含む、請求項１に記載の組成物。
【請求項２５】
前記抗体を、約０．１ｍｇ／ｋｇ体重〜３０ｍｇ／ｋｇ体重の用量で投与することを特徴とする、請求項１に記載の組成物。
【請求項２６】
バイアルまたはボトルなどの容器に包装された、治療有効量の請求項１、請求項８、または請求項２２に記載の抗体を含むキットであって、該容器に添付されているかまたは容器と共に包装されたラベルをさらに含み、該ラベルは、該容器の内容物を記載し、そして破骨細胞活性の増加および骨芽細胞活性の増加に関連する疾患を罹患した被験体を治療するための、該容器の該内容物の使用に関する指示および／または説明を提供する、キット。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
オレアンドリンを含む超臨界流体抽出物。
【請求項２】
抽出物がオレアンドリンを含む植物塊の超臨界流体抽出によって製造される、請求項１記載の超臨界流体抽出物。
【請求項３】
超臨界流体抽出が二酸化炭素を含む超臨界流体で実施される、請求項２記載の超臨界流体抽出物。
【請求項４】
超臨界流体が調節剤をさらに含む、請求項３記載の超臨界流体抽出物。
【請求項５】
オレアンドリンを含む植物塊がNerium種又はThevetia種である、請求項２記載の超臨界流体抽出物。
【請求項６】
Nerium種がNerium oleanderであり、又はThevetia種がThevetia nerifoliaである、請求項５記載の超臨界流体抽出物。
【請求項７】
強心配糖体及び超臨界流体抽出によって得られる少なくとも１つの他の超臨界流体抽出可能な薬理活性剤を含む超臨界流体抽出物。
【請求項８】
抽出物が強心配糖体を含む植物塊の超臨界流体抽出によって製造される、請求項７記載の超臨界流体抽出物。
【請求項９】
超臨界流体抽出が二酸化炭素を含む超臨界流体で実施される、請求項８記載の超臨界流体抽出物。
【請求項１０】
超臨界流体が調節剤をさらに含む、請求項９記載の超臨界流体抽出物。
【請求項１１】
超臨界流体抽出物がオレアンドリン、及び超臨界流体抽出によって得られる少なくとも１つの他の超臨界流体抽出可能な薬理活性剤を含む、請求項１０記載の超臨界流体抽出物。
【請求項１２】
抽出物を被験者に投与した時に、少なくとも１つの他の超臨界流体抽出可能な薬理活性剤が強心配糖体の治療効力に寄与するか、又は抽出物を被験者に投与した時に、少なくとも１つの他の超臨界流体抽出可能な薬理活性剤が相加的に又は相乗的に機能して強心配糖体の治療効力に寄与する、請求項１１記載の超臨界流体抽出物。
【請求項１３】
調節剤がエタノール、プロパノール、メタノール、酢酸エチル、アセトン及び塩化メチレンからなる群より選ばれる、請求項４又は１０記載の超臨界流体抽出物。
【請求項１４】
請求項１〜１３のいずれか１項記載の超臨界流体抽出物を含む医薬剤形。
【請求項１５】
キレート剤、保存剤、吸着剤、酸性化剤、アルカリ化剤、消泡剤、緩衝剤、着色剤、電解質、香味剤、研磨剤、塩、安定剤、甘味剤、張度調節剤、付着防止剤、結合剤、希釈剤、直接圧縮賦形剤、崩壊剤、滑剤、潤滑剤、不透明化剤、可塑剤、他の医薬賦形剤、又はそれらの組み合わせをさらに含む、請求項１４記載の剤形。
【請求項１６】
オレアンドリン含有強心配糖体を含むNerium種又はThevetia種の植物塊を強心配糖体を植物塊から抽出するのに十分な期間、超臨界流体で処理し；
超臨界流体から植物塊を分離し；そして
超臨界流体を除去し、それによって強心配糖体を含む超臨界流体抽出物を形成する：
ことを含む超臨界流体抽出方法。
【請求項１７】
抽出物が少なくとも１つの他の超臨界流体抽出可能な薬理活性剤をさらに含む、請求項１６記載の方法。
【請求項１８】
超臨界流体が二酸化炭素を含む、請求項１７記載の方法。
【請求項１９】
超臨界流体が調節剤をさらに含む、請求項１８記載の方法。
【請求項２０】
調節剤がエタノール、プロパノール、メタノール、酢酸エチル、アセトン及び塩化メチレンからなる群より選ばれる、請求項１９記載の方法。
【請求項２１】
抽出物を被験者に投与した時に、少なくとも１つの他の超臨界流体抽出可能な薬理活性剤が強心配糖体の治療効力に寄与するか、又は抽出物を被験者に投与した時に、少なくとも１つの他の超臨界流体抽出可能な薬理活性剤が相加的に又は相乗的に機能して強心配糖体の治療効力に寄与する、請求項１７記載の方法。
【請求項２２】
Nerium種がNerium oleanderであり、又はThevetia種がThevetia nerifoliaである、請求項１６記載の方法。
【請求項２３】
調節剤対原料出発物質の比率が、調節剤及び原料物質の両方の質量に基づいて50：１、又は45：１〜60：１である、請求項１９記載の方法。
【請求項２４】
調節剤が、植物塊kg当たりエタノール35〜75kgの比率で用いるエタノールである、請求項２３記載の方法。
【請求項２５】
抽出を、280bar又は270〜320barの圧力、及び50℃又は40〜60℃の温度で実施する、請求項２３記載の方法。
【請求項２６】
調節剤対原料出発物質の比率が、調節剤及び原料物質の両方の質量に基づいて40：１〜45：１である、請求項１９記載の方法。
【請求項２７】
調節剤がエタノールであり、そして抽出を、280bar又は270〜320barの圧力、及び50℃又は40〜60℃の温度で実施する、請求項２６記載の方法。
【請求項２８】
抽出物が少なくとも５nM又は５〜50nMの範囲の濃度でオレアンドリンを含む、請求項１〜１３のいずれか１項記載の超臨界流体抽出物。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
PKC活性化因子をプロテインキナーゼC（PKC）と接触させ、長期記憶を固定するのに十分なタンパク質の合成を刺激する工程を含んでなる方法。
【請求項２】
前記PKC活性化因子は大環状ラクトン、ベンゾラクタム、ピロリジノン、およびブリオスタチンからなる群より選択される、請求項１に記載の方法。
【請求項３】
前記ブリオスタチンは、ブリオスタチン-1、-2、-3、-4、-5、-6、-7、-8、-9、-10、-11、-12、-13、-14、-15、-16、-17、または-18である、請求項２に記載の方法。
【請求項４】
前記大環状ラクトンはネリスタチンである、請求項２に記載の方法。
【請求項５】
前記接触がPKCを活性化する、請求項１に記載の方法。
【請求項６】
前記接触がPKCの量を増大させる、PKCの合成を増大させる、またはカレクシチンの量を増大させる請求項１に記載の方法。
【請求項７】
前記接触が続いて実質的なPKCの下方制御を生じさせない、請求項１に記載の方法。
【請求項８】
前記PKC活性化因子のPKCとの接触が規則的な間隔で繰り返される、請求項１に記載の方法。
【請求項９】
前記間隔は1週間〜1ヶ月、1日〜1週間、または1時間未満〜24時間である、請求項８に記載の方法。
【請求項１０】
前記PKC活性化因子のPKCとの接触は、１〜２４時間の固定された期間維持される、請求項１に記載の方法。
【請求項１１】
前記接触は1日〜６ヶ月の間繰り返される、請求項１５に記載の方法。
【請求項１２】
PKC活性化因子をプロテインキナーゼC（PKC）と接触させてPKCを下方制御する工程を含んでなる方法。
【請求項１３】
前記PKC活性化因子は大環状ラクトン、ベンゾラクタム、ピロリジノン、およびブリオスタチンからなる群より選択される、請求項１２に記載の方法。
【請求項１４】
前記ブリオスタチンは、ブリオスタチン-1、-2、-3、-4、-5、-6、-7、-8、-9、-10、-11、-12、-13、-14、-15、-16、-17、または-18である、請求項１３に記載の方法。
【請求項１５】
前記大環状ラクトンはネリスタチンである、請求項１４に記載の方法。
【請求項１６】
前記接触によりPKCの下方制御を生じる、請求項１２に記載の方法。
【請求項１７】
前記接触はPKCまたはカレクシチンの合成を刺激しない、請求項１２に記載の方法。
【請求項１８】
前記接触はPKCの量を減少させる、請求項１２に記載の方法。
【請求項１９】
前記PKC活性化因子のPKCとの接触は、１時間未満〜２４時間、または１日〜１ヶ月の間の持続した期間である、請求項１２に記載の方法。
【請求項２０】
前記接触によりPKCの持続した下方制御を生じる、請求項１２に記載の方法。
【請求項２１】
プロテインキナーゼC（PKC）の分解を阻害する工程をさらに含んでなる、請求項１に記載の方法。
【請求項２２】
前記分解はラクタシステインによるユビキチン結合を介する、請求項２１に記載の方法。
【請求項２３】
前記PKC活性化因子は、PKC活性化因子および薬学的に許容可能なキャリアを含んでなる医薬組成物の形態で提供される、請求項１に記載の方法。
【請求項２４】
前記医薬組成物はさらにPKC阻害剤を含んでなる、請求項２３に記載の方法。
【請求項２５】
前記PKC阻害剤は末梢組織においてPKCを阻害する、請求項２４に記載の方法。
【請求項２６】
前記PKC阻害剤は、患者に対するPKCの投与に付随する筋肉痛を減少させる、またはPKC活性化因子の耐容量を増大させる化合物である、請求項２４に記載の方法。
【請求項２７】
前記PKC阻害剤は、ビタミンE、ビタミンE類似体、ビタミンE塩、カルフォスチンC、チアゾリジンジオン、ルボキシスタウリン、またはそれらの組み合わせである、請求項２４に記載の方法。